【手続補正書】
【提出日】平成17年4月1日(2005.4.1)
【手続補正１】
【補正対象書類名】明細書
【補正対象項目名】特許請求の範囲
【補正方法】変更
【補正の内容】
【特許請求の範囲】
【請求項１】
時間軸上の最初に位置する前置励起ＲＦパルスを少なくとも含む第１のパルス列を前置的に被検体に印加する第１の印加手段と、
送信位相がＣＰＭＧパルス系列に従う最初のパルス送信位相よりも９０°ずらして設定された励起ＲＦパルスと送信位相がＣＰＭＧパルス系列に従う２番目以降のパルス送信位相と同じに設定された複数個の反転ＲＦパルスとを含む第２のパルス列を前記第１のパルス列を前置的に印加した後に前記被検体に時系列に印加する第２の印加手段と、
前記前置励起ＲＦパルスの印加と前記励起ＲＦパルスの印加との間の期間内に及び前記複数個の反転ＲＦパルスのそれぞれの印加後に、一定の時間積分値を有するスポイラーパルスを所望の傾斜磁場方向に発生させて前記被検体に印加する第３の印加手段と、
前記複数個の反転ＲＦパルスに応答して発生する複数個のエコー信号を収集して位相情報に関わるデータ処理を行うデータ処理手段と、を備えたことを特徴とするＭＲ（磁気共鳴）装置。
【請求項２】
前記スポイラーパルスを発生させる傾斜磁場方向は位相エンコード用の傾斜磁場である請求項１に記載のＭＲ装置。
【請求項３】
前記前置励起ＲＦパルス、前記励起ＲＦパルス、および前記反転ＲＦパルスとともにスライス方向の傾斜磁場パルスを前記被検体に印加する第４の印加手段を備えた請求項２に記載のＭＲ装置。
【請求項４】
前記第３の印加手段は、前記前置励起ＲＦパルスの印加と前記励起ＲＦパルスの印加との間の期間内と前記複数個の反転ＲＦパルス夫々の印加後とで互いに反対方向の極性の前記スポイラーパルスを印加するように構成した請求項１に記載のＭＲ装置。
【請求項５】
前記第３の印加手段は、前記前置励起ＲＦパルスの印加と前記励起ＲＦパルスの印加との間の期間内と前記複数個の反転ＲＦパルス夫々の印加後とで同方向の極性の前記スポイラーパルスを印加するように構成した請求項１に記載のＭＲ装置。
【請求項６】
前記前置励起ＲＦパルスの印加と前記励起ＲＦパルスの印加との間の期間内に、前記被検体内の対象体の流速に応じてエコー信号の位相を変化させるフローエンコードパルスを傾斜磁場方向に印加する第５の印加手段を備えた請求項１に記載のＭＲＩ装置。
【請求項７】
前記第５の印加手段は前記フローエンコードパルスを極性反転可能な手段であり、
前記データ処理手段は、前記フローエンコードパルスを極性反転させた２つの極性状態それぞれの前記エコー信号に応じたエコーデータを収集する収集手段と、このエコーデータから前記流速を表す流速画像を生成する生成手段とを備えた請求項６に記載のＭＲ装置。
【請求項８】
前記生成手段は、前記２つの極性状態夫々の前記エコーデータを各組毎に再構成して２枚の画像データを演算し、この２枚の画像データ間の画素毎の複素差分を演算して前記流速画像のデータを得る手段と、前記２つの極性状態に対応した２組の前記エコーデータ間で画素毎に複素差分を行い、この差分エコーデータを再構成して前記流速画像を得る手段との内のいずれか一方の手段を備える請求項７に記載のＭＲ装置。
【請求項９】
前記第１の印加手段は、前記第１のパルス列として前置反転ＲＦパルスを含み且つこの前置反転ＲＦパルスを前記前置励起ＲＦパルスの印加と前記励起ＲＦパルスの印加との間の期間内で印加するように構成し、
前記第５の印加手段は、前記フローエンコードパルスを前記前置反転ＲＦパルスの時間軸上前後の位置でそれぞれ印加するように構成した請求項６に記載のＲＦ装置。
【請求項１０】
前記第１の印加手段は、前記第１のパルス列として前記前置励起ＲＦパルス１個のみを含み、且つ、この前置励起ＲＦパルスの印加と前記励起ＲＦパルスの印加との間の期間を変更できる手段であり、
前記データ処理手段は、前記期間を変更して２回撮影した前記エコー信号に応じたエコーデータを収集する収集手段と、このエコーデータから前記被検体の対象部位の磁場分布を表すデータを生成する生成手段とを備えた請求項１に記載のＭＲ装置。
【請求項１１】
前記生成手段は、前記２回の撮影それぞれの前記エコーデータを各組毎に再構成して２枚の画像データを演算し、この２枚の画像データ間の画素毎の複素差分を演算して前記磁場分布のデータを得る手段と、前記２回の撮影に対応した２組の前記エコーデータ間で画素毎に複素差分を行い、この差分エコーデータを再構成して前記磁場分布を表すデータを得る手段との内のいずれか一方の手段を備える請求項１０に記載のＭＲ装置。
【請求項１２】
前記第１の印加手段は、前記第１のパルス列として前記前置励起ＲＦパルス１個と、この前置励起ＲＦパルスを印加した後の変更可能な期間の経過後に印加する前置反転ＲＦパルスとを含むように形成した手段であり、
前記データ処理手段は、前記期間を変更して複数回撮影した前記エコー信号のエコーデータを収集する収集手段と、このエコーデータから前記被検体の対象部位の周波数スペクトルデータを画素毎に生成する生成手段とを備えた請求項１に記載のＭＲ装置。
【請求項１３】
前記前置励起ＲＦパルスの印加と前記励起ＲＦパルスの印加との間の期間内で強度可変の傾斜磁場パルスを所望方向に印加する第６の印加手段を備え、
前記データ処理手段は、前記所望方向の傾斜磁場パルスをその強度を変えて複数回撮影したときの前記エコー信号に応じたエコーデータを収集する収集手段と、このエコーデータからその所望方向に関する画像データを生成する生成手段とを備えた請求項１に記載のＭＲ装置。
【請求項１４】
前記所望方向の傾斜磁場パルスは、スライス方向の傾斜磁場パルスである請求項１３に記載のＭＲ装置。
【請求項１５】
前記スライス方向の傾斜磁場パルスの印加と前記励起ＲＦパルスの印加との間に前置反転ＲＦパルスを印加する第７の印加手段を備える請求項１４に記載のＭＲ装置。
【請求項１６】
前記前置励起ＲＦパルスの印加と前記励起ＲＦパルスの印加との間の期間において組織拡散の程度に応じて前記エコー信号の強度を変化させるＭＰＧパルスを所望の傾斜磁場方向に印加する第８の印加手段を備えた請求項１に記載のＭＲＩ装置。
【請求項１７】
前記複数個のエコー信号の内の少なくとも１個のエコー信号に付与する位相エンコードを零とし且つ残りのエコー信号に付与する位相エンコードをイメージング必要量とする位相エンコード用傾斜磁場を印加する第９の印加手段を備え、
前記データ処理手段は、前記位相エンコードが零のエコー信号に応じたエコーデータを収集して当該エコーデータが有する位相情報を演算する手段と、この位相情報から前記被検体の体動に拠る位相シフト量を演算する手段と、前記位相エンコードとしてイメージング必要量を与えるエコー信号に応じたエコーデータを収集して当該エコーデータの位相を前記位相シフト量に基づき補正する手段とを備えた請求項１６に記載のＭＲ装置。
【請求項１８】
前記第１の印加手段は、前記第１のパルス列として前置反転ＲＦパルスを含み且つこの前置反転ＲＦパルスを前記前置励起ＲＦパルスの印加と前記励起ＲＦパルスの印加との間の期間内で印加するように構成し、
前記第８の印加手段は、前記ＭＰＧパルスを前記前置反転ＲＦパルスの時間軸上前後の位置でそれぞれ印加するように構成した請求項１７に記載のＲＦ装置。
【請求項１９】
前記エコー信号に対してスライスエンコードを付与するスライス方向の傾斜磁場パルスを印加する第１０の印加手段を備えた請求項１８に記載のＭＲ装置。
【請求項２０】
時間軸上の最初に位置する前置励起ＲＦパルスを少なくとも含む第１のパルス列を前置的に被検体に印加し、
この前置励起ＲＦパルスの印加の後に一定の時間積分値を有するスポイラーパルスを傾斜磁場方向に発生させて前記被検体に印加し、
送信位相がＣＰＭＧパルス系列に従う最初のパルス送信位相よりも９０°ずらして設定された励起ＲＦパルスと送信位相がＣＰＭＧパルス系列に従う２番目以降のパルス送信位相と同じに設定された複数個の反転ＲＦパルスとを含む第２のパルス列を前記被検体に印加するとともに、この複数個の反転ＲＦパルスのそれぞれの印加後に前記スポイラーパルスと同一の時間積分値を有する別のスポイラーパルスを傾斜磁場方向に発生させて前記被検体に印加し、
前記複数個の反転ＲＦパルスに応答して発生する複数個のエコー信号を収集して位相情報に関わるデータ処理を行うことを特徴とするＭＲデータ収集方法。
【請求項２１】
傾斜磁場及びＲＦパルスを制御する制御手段及びエコー信号を収集するデータ処理手段を備えたＭＲ装置において、
前記制御手段は、時間軸上の最初に位置する励起ＲＦパルスを被検体に印加し、前記励起ＲＦパルス列の印加後、同位相の複数個の反転ＲＦパルスを前記被検体に印加し、前記励起ＲＦパルスの印加と前記複数個の反転パルスのうち最初の反転パルスの印加の間、及び前記複数個の反転ＲＦパルスの間に、一定の時間積分値を有するスポイラーパルスを前記被検体に印加する制御を行い、
前記データ処理手段は、前記複数個の反転ＲＦパルスに応答して発生する複数のエコー信号を収集して位相情報に関わるデータ処理を行うことを特徴とするＭＲ装置。
【請求項２２】
前記制御手段は、前記複数個のエコー信号の内の少なくとも１個のエコー信号に付与する位相エンコードを零とし且つ残りのエコー信号に付与する位相エンコードをイメージング必要量とする位相エンコード用傾斜磁場を印加する制御を行い、
前記データ処理手段は、前記位相エンコードが零のエコー信号に応じたエコーデータを収集して当該エコーデータが有する位相情報を演算する手段と、この位相情報から前記被検体の体動に拠る位相シフト量を演算する手段と、前記位相エンコードとしてイメージング必要量を与えるエコー信号に応じたエコーデータを収集して当該エコーデータの位相を前記位相シフト量に基づき補正する手段とを備えた請求項２１記載のＭＲ装置。